【手続補正書】
【提出日】平成17年6月17日(2005.6.17)
【手続補正１】
【補正対象書類名】明細書
【補正対象項目名】全文
【補正方法】変更
【補正の内容】
【書類名】明細書
【発明の名称】ティシュペーパー製品の製造方法およびティシュペーパー製品ならびにティシュカートン
【特許請求の範囲】
【請求項１】製造過程において筒状のティシュカートン内にティシュペーパー束を挿入し、ティシュカートンの開口を端面フラップにより塞ぐことによりティシュペーパー製品を得る方法において、
前記端面フラップのカートン内面側に香料を付与する工程を含むことを特徴とするティシュペーパー製品の製造方法。
【請求項２】ティシュカートンの開口は複数の端面フラップを折り畳んで塞ぐものである請求項１記載のティシュペーパー製品の製造方法。
【請求項３】製造過程において筒状のティシュカートン内にティシュペーパー束を挿入し、ティシュカートンの開口を端面フラップにより塞ぐことによりティシュペーパー製品を得る方法において、
前記ティシュカートン内に挿入したティシュペーパー束の端面に香料を付与する工程を含むことを特徴とするティシュペーパー製品の製造方法。
【請求項４】前記端面フラップをカートン外面側に折り曲げた状態で香料を付与し、その後に端面フラップを折り畳んで開口を塞ぐ請求項１〜３の何れか１項に記載のティシュペーパー製品の製造方法。
【請求項５】前記ティシュカートンは、ティシュペーパーの取出口を有する上面と、その反対の底面と、前記上面および底面を繋ぐ長手方向に沿う側面と、端面フラップとで構成されるものであり、
前記端面フラップは、各側面の長手方向端から延在する側面端面片と、底面の長手方向端から延在する箱の高さより短い底面側端面片と、上面の長手方向端から延在する箱の高さより短い上面側端面片とで構成されるものである請求項１〜４の何れか１項に記載のティシュペーパー製品の製造方法。
【請求項６】組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートン内に、
ティシュペーパー束が収容されているティシュペーパー製品の製造方法であって、
以下の（Ａ）〜（Ｄ）の工程を含むことを特徴とするティシュペーパー製品の製造方法。
（Ａ）前記上面、上面側端面片、幅方向一方の側面およびこれから延在する側面端面片が上側となり、前記底面、底面側端面片、幅方向他方の側面およびこれから延在する側面端面片が下側となった状態で折り畳まれているティシュカートンを、上方または下方から吸引し及び／又は側方から押して長手方向両側面を開口させティシュカートンを筒状にする工程。
（Ｂ）前記上面側端面片、側面端面片、底面側端面片をティシュカートン外面側に向かって折り曲げる工程。
（Ｃ）前記上面側端面片および前記底面側端面片に接着剤を塗布するとともに、
前記側面端面片の、組み立て状態において前記底面側端面片および上面側端面片に臨む面、
前記底面側端面片および前記上面側端面片の少なくとも一方の片の、組み立て状態において前記側面端面片に臨む面、
およびティシュペーパー束の端面、
の少なくとも何れかの面に香料を付与する工程。
（Ｄ）各側面端面片を折り、それらの外側に、前記底面側端面片と前記上面側端面片とを順次重ねるとともに、前記底面側端面片の高さ方向上端部と上面側端面片の高さ方向下端部とを貼り合わす工程。
【請求項７】（Ｃ）工程において、
ティシュペーパー束には、香料を付与せずに、
側面端面片の、組み立て状態においてティシュペーパー束に臨む面、
側面端面片の、組み立て状態において底面側端面片および上面側端面片に臨む面、
底面側端面片および上面側端面片の少なくとも一方の片の、組み立て状態において前記側面端面片に臨む面、
の少なくとも何れかの面に香料を付与する請求項６記載のティシュペーパー製品の製造方法。
【請求項８】（Ｃ）工程において、
側面端面片には香料を塗布せずに、
底面側端面片および上面側端面片の少なくとも一方の片の、組み立て状態において前記側面端面片に臨む面、
およびティシュペーパー束の端面、
の少なくとも何れかの面に香料を付与する請求項６記載のティシュペーパー製品の製造方法。
【請求項９】（Ｃ）工程において、
前記ティシュペーパー束および側面端面片には香料を付与せずに、
前記底面側端面片および前記上面側端面片の少なくとも一方の片の、組み立て状態において前記側面端面片に臨む面、
に香料を付与する請求項６記載のティシュペーパー製品の製造方法。
【請求項１０】香料を添加した接着剤を用いて、香料の付与と各端面片への接着剤の塗布とを同時に行う請求項６〜８の何れか１項に記載のティシュペーパー製品の製造方法。
【請求項１１】組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートン内に、
ティシュペーパー束が収容されているティシュペーパー製品であって、
前記側面端面片の、組み立て状態において前記ティシュペーパー束に臨む面、
前記側面端面片の、組み立て状態において前記底面側端面片および上面側端面片に臨む面、
前記底面側端面片および前記上面側端面片の少なくとも一方の片の、組み立て状態において前記側面端面片に臨む面、
およびティシュペーパー束の端面、
の少なくとも何れかの面に香料が付与されていることを特徴とするティシュペーパー製品。
【請求項１２】ティシュペーパー束には香料が塗布されておらず、
側面端面片の、組み立て状態においてティシュペーパー束に臨む面、
側面端面片の、組み立て状態において底面側端面片および上面側端面片に臨む面、
底面側端面片および上面側端面片の少なくとも一方の片の、組み立て状態において前記側面端面片に臨む面、
の少なくとも何れかの面に香料が付与されている請求項１１記載のティシュペーパー製品。
【請求項１３】側面端面片には香料が塗布されておらず、
底面側端面片および上面側端面片の少なくとも一方の片の、組み立て状態において前記側面端面片に臨む面、
およびティシュペーパー束の端面、
の少なくとも何れかの面に香料が付与されている請求項１１記載のティシュペーパー製品。
【請求項１４】前記ティシュペーパー束および側面端面片には香料が塗布されておらず、
前記底面側端面片および前記上面側端面片の少なくとも一方の片の、組み立て状態において前記側面端面片に臨む面、に香料が塗布されている請求項１１記載のティシュペーパー製品。
【請求項１５】香料が添加された接着剤により、各端面片が接着されている請求項１１〜１４の何れか１項に記載のティシュペーパー製品。
【請求項１６】組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートンであって、
前記側面端面片の、組み立て状態においてティシュペーパー束に臨む面、
前記側面端面片の、組み立て状態において底面側端面片および上面側端面片に臨む面、
前記底面側端面片および前記上面側端面片の少なくとも一方の片の、組み立て状態において前記側面端面片に臨む面、
の少なくとも何れかの面に香料が付与されていることを特徴とするティシュカートン。
【請求項１７】前記側面端面片には香料が塗布されておらず、
前記底面側端面片および前記上面側端面片の少なくとも一方の片の、組み立て状態において前記側面端面片に臨む面、に香料が塗布されている請求項１６記載のティシュカートン。
【請求項１８】前記各側面端面片が対向する各先端縁が相互に離間して折られ、かつ、
前記上面側端面片および底面側端面片の少なくとも一片の、少なくともティシュペーパー束に臨む面に、
香料が付与されている請求項１６記載のティシュカートン。
【請求項１９】香料が添加された接着剤により、各端面片が接着されている請求項１６〜１８のいずれか１項に記載のティシュカートン。
【発明の詳細な説明】
【０００１】
【発明の属する技術分野】
本発明は、ティシュペーパー製品の製造方法およびティシュペーパーならびにティシュカートンに関する。
【０００２】
【従来の技術】
従来、ティシュペーパー製品は、ロールに巻かれたティシュペーパー原紙をインターホルダーにて折り畳み、かかる折り畳み状態となったティシュペーパー原紙を所定の大きさに切断してティシュペーパー束を形成し、これを側部が開口されている状態の箱型のティシュカートンに装入し、前記開口部を封止して製造される。前記開口部の封止方法は、展開状態のカートン箱の端片にホットメルト接着剤を付与した後、当該サイドフラップを閉じて製品としている。かかるティシュペーパー製品の製造は、ロールからティシュペーパー原紙を送り出す工程から、製品とするまでが一連の流れ工程となっている。
【０００３】
ところで、近年、香り付ティシュペーパー製品が市販に供されている。かかる香り付ティシュペーパー製品は、香料を封入したマイクロカプセルをロール転写あるいはスプレー等で直接ティシュペーパー原紙に塗布して香り付けをするのが一般的である。このティシュペーパー製品は、香料が塗布されたティシュペーパーがティシュカートン内に収められる構成となるため、経時的な香りの減少が少ないという利点がある。この他、ティシュカートンに香りを付けてティシュペーパーが芳香を持つようにしたものがあり、実開昭６３−１０５６８５にはティシュカートン外面の印刷を行う際に同時に香料を塗布して製造する方法が開示されている。また、実開平７−２１５８４には、ティシュカートンのフラップ部を除く胴部（側面、上面、底面）の内壁に芳香剤を塗布したティシュカートンが開示されている。
【０００４】
【特許文献】
実開昭６３−１０５６８５号公報
実開平７−２１５８４号公報
【０００５】
【発明が解決しようとする課題】
しかしながら、直接ティシュペーパー原紙に香料を付与する製品は、ティシュペーパー原紙に香料を付着させる専用設備を必要とするため、新規に製造を行う際には既存設備の大規模な設計変更または新規製造設備の構築が必要となり、非常にコストがかかる。また、直接肌に触れるティシュペーパー全体に香料が塗布されていることを嫌ってこの種のティシュペーパー製品の購入を控える消費者も現れはじめている。
【０００６】
一方、実開昭６３−１０５６８５に開示されるティシュカートン外面に香料を塗布する方法の場合には、香料の飛散が早いため、製造直後には香りがあるが実際に消費者のもとに渡る際に香りがなくなっていたり、使用者が使用を終える前に香りがなくなったりするという事態が生ずる。
【０００７】
また、通常はティシュカートンは、ティシュペーパー束とは別に製造されるので、ティシュペーパー製品の製造にあたってはティシュカートンをティシュペーパー製品の製造工場に搬送しなければならない。従って、実開平７−２１５８４に開示される胴部の内壁に芳香剤を塗布したティシュカートンでは、ティシュカートンをティシュペーパー製品の製造工場へと搬送する間や、ティシュカートンを製造してからティシュペーパー製品の製造工場に搬送するまでの倉庫に格納されている間に香料が飛散してしまい、消費者にティシュペーパー製品として渡る際には、芳香が乏しくなることがあるという欠点がある。
【０００８】
そこで、本発明の主たる課題は、既存の一般的なティシュペーパー設備に大規模な変更を加えることなく簡易に製造することが可能であり、かつ、肌に直接に触れるティシュペーパーの使用面に香料を塗布せずとも、経時的な香りの減少が少ないティシュペーパー製品およびその製造方法ならびにティシュカートンを提供することにある。
【０００９】
【課題を解決するための手段】
上記課題を解決した本発明およびその作用効果は次記のとおりである。
＜請求項１記載の発明＞
製造過程において筒状のティシュカートン内にティシュペーパー束を挿入し、ティシュカートンの開口を端面フラップにより塞ぐことによりティシュペーパー製品を得る方法において、
前記端面フラップのカートン内面側に香料を付与する工程を含むことを特徴とするティシュペーパー製品の製造方法。
【００１０】
（作用効果）
前記端面フラップのカートン内面側に香料を付与することとしたので香りがティシュカートン内に保持される。
【００１１】
＜請求項２記載の発明＞
ティシュカートンの開口は複数の端面フラップを折り畳んで塞ぐものである請求項１記載のティシュペーパー製品の製造方法。
【００１２】
（作用効果）
複数の端面フラップを折り畳んで塞ぐものであるので、各端面片への自由な香料付与および接着剤付与の形態が採用できる。
【００１３】
＜請求項３記載の発明＞
製造過程において筒状のティシュカートン内にティシュペーパー束を挿入し、ティシュカートンの開口を端面フラップにより塞ぐことによりティシュペーパー製品を得る方法において、
前記ティシュカートン内に挿入したティシュペーパー束の端面に香料を付与する工程を含むことを特徴とするティシュペーパー製品の製造方法。
【００１４】
（作用効果）
前記ティシュカートン内に挿入したティシュペーパー束の端面に香りを付与することにより、実質的に使用者の肌に直接的に触れるティシュペーパーの使用面には香料は付与されず、もって、使用者が使用する際に香料が直接肌に触れることがなく使用者に安心感が与えられる。
【００１５】
＜請求項４記載の発明＞
前記端面フラップをカートン外面側に折り曲げた状態で香料を付与し、その後に端面フラップを折り畳んで開口を塞ぐ請求項１〜３のいずれか１項に記載のティシュペーパー製品の製造方法。
【００１６】
（作用効果）
フラップをカートン外面側に折り曲げた状態で香料を付与することとしたので、香料付与が容易にでき、製造が簡易となる。
【００１７】
＜請求項５記載の発明＞
前記ティシュカートンは、ティシュペーパーの取出口を有する上面と、その反対の底面と、前記上面および底面を繋ぐ長手方向に沿う側面と、端面フラップとで構成されるものであり、
前記端面フラップは、各側面の長手方向端から延在する側面端面片と、底面の長手方向端から延在する箱の高さより短い底面側端面片と、上面の長手方向端から延在する箱の高さより短い上面側端面片とで構成されるものである請求項１〜４の何れか１項に記載のティシュペーパー製品の製造方法。
【００１８】
（作用効果）
ティシュカートンの製造が容易となる。
【００１９】
＜請求項６記載の発明＞
組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートン内に、
ティシュペーパー束が収容されているティシュペーパー製品の製造方法であって、
以下の（Ａ）〜（Ｄ）の工程を含むことを特徴とするティシュペーパー製品の製造方法。
（Ａ）前記上面、上面側端面片、幅方向一方の側面およびこれから延在する側面端面片が上側となり、前記底面、底面側端面片、幅方向他方の側面およびこれから延在する側面端面片が下側となった状態で折り畳まれているティシュカートンを、上方または下方から吸引し及び／又は側方から押して長手方向両側面を開口させティシュカートンを筒状にする工程。
（Ｂ）前記上面側端面片、側面端面片、底面側端面片をティシュカートン外面側に向かって折り曲げる工程。
（Ｃ）前記上面側端面片および前記底面側端面片に接着剤を塗布するとともに、
前記側面端面片の、組み立て状態において前記底面側端面片および上面側端面片に臨む面、
前記底面側端面片および前記上面側端面片の少なくとも一方の片の、組み立て状態において前記側面端面片に臨む面、
およびティシュペーパー束の端面、
の少なくとも何れかの面に香料を付与する工程。
（Ｄ）各側面端面片を折り、それらの外側に、前記底面側端面片と前記上面側端面片とを順次重ねるとともに、前記底面側端面片の高さ方向上端部と上面側端面片の高さ方向下端部とを貼り合わす工程。
【００２０】
（作用効果）
前記上面側端面片および前記底面側端面片に接着剤を塗布するとともに、前記側面端面片の組み立て状態において前記ティシュペーパー束に臨む面、前記側面端面片の組み立て状態において前記底面側端面片および上面側端面片に臨む面、前記底面側端面片および前記上面側端面片の少なくとも一方の片の組み立て状態において前記側面端面片に臨む面、およびティシュペーパー束の端面、の少なくとも何れかの面に香料を塗布することとしたので香りがティシュカートン内に保持される。また、香料塗布からティシュペーパー製品が完成するまでの時間は短いので経時的な香りの減少が少なくなる。
【００２１】
＜請求項７記載の発明＞
（Ｃ）工程において、
ティシュペーパー束には、香料を付与せずに、
側面端面片の、組み立て状態においてティシュペーパー束に臨む面、
側面端面片の、組み立て状態において底面側端面片および上面側端面片に臨む面、
底面側端面片および上面側端面片の少なくとも一方の片の、組み立て状態において前記側面端面片に臨む面、
の少なくとも何れかの面に香料を付与する請求項６記載のティシュペーパー製品の製造方法。
【００２２】
（作用効果）
ティシュペーパー束には香料を塗布せずに、ティシュカートンの各端面フラップに香料を塗布したので、使用者が使用する際に香料が直接肌に触れることがなく使用者に安心感が与えられる。しかも、接着剤と香料とを実質的に同時に塗布することとしたので製造が容易となる。
【００２３】
＜請求項８記載の発明＞
（Ｃ）工程において、
側面端面片には香料を塗布せずに、
底面側端面片および上面側端面片の少なくとも一方の片の、組み立て状態において前記側面端面片に臨む面、
およびティシュペーパー束の端面、
の少なくとも何れかの面に香料を付与する請求項６記載のティシュペーパー製品の製造方法。
【００２４】
（作用効果）
接着剤と香料とを実質的に同時に塗布することとしたので製造が容易となる。
【００２５】
＜請求項９記載の発明＞
（Ｃ）工程において、
前記ティシュペーパー束および側面端面片には香料を付与せずに、
前記底面側端面片および前記上面側端面片の少なくとも一方の片の、組み立て状態において前記側面端面片に臨む面、
に香料を付与する請求項６記載のティシュペーパー製品の製造方法。
【００２６】
（作用効果）
ティシュペーパー束には香料を塗布せずに、ティシュカートンのフラップに香料を塗布したので、使用者が使用する際に香料が直接肌に触れることがなく使用者に安心感が与えられる。しかも、接着剤を塗布する位置と香料を塗布する位置が同じなので、製造が容易となる。
【００２７】
＜請求項１０記載の発明＞
香料を添加した接着剤を用いて、香料の付与と各端面片への接着剤の塗布とを同時に行う請求項６〜８の何れか１項に記載のティシュペーパー製品の製造方法。
【００２８】
（作用効果）
香料を添加した接着剤を用いて、各端面片の接着を行うので、香料と接着剤とを同時に付与でき、しかも、塗布設備を統一できるので、製造および管理が容易となる。
【００２９】
＜請求項１１記載の発明＞
組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートン内に、
ティシュペーパー束が収容されているティシュペーパー製品であって、
前記側面端面片の、組み立て状態において前記ティシュペーパー束に臨む面、
前記側面端面片の、組み立て状態において前記底面側端面片および上面側端面片に臨む面、
前記底面側端面片および前記上面側端面片の少なくとも一方の片の、組み立て状態において前記側面端面片に臨む面、
およびティシュペーパー束の端面、
の少なくとも何れかの面に香料が付与されていることを特徴とするティシュペーパー製品。
【００３０】
（作用効果）
前記上面側端面片および前記底面側端面片に接着剤を塗布するとともに、前記側面端面片の組み立て状態において前記ティシュペーパー束に臨む面、前記側面端面片の組み立て状態において前記底面側端面片および上面側端面片に臨む面、前記底面側端面片および前記上面側端面片の少なくとも一方の片の組み立て状態において前記側面端面片に臨む面、およびティシュペーパー束の端面、の少なくとも何れかの面に香料を付与することとしたので香りがティシュカートン内に保持される。
【００３１】
＜請求項１２記載の発明＞
ティシュペーパー束には香料が塗布されておらず、
側面端面片の、組み立て状態においてティシュペーパー束に臨む面、
側面端面片の、組み立て状態において底面側端面片および上面側端面片に臨む面、
底面側端面片および上面側端面片の少なくとも一方の片の、組み立て状態において前記側面端面片に臨む面、
の少なくとも何れかの面に香料が付与されている請求項１１記載のティシュペーパー製品。
【００３２】
（作用効果）
ティシュペーパー束には香料が塗布されていないので、使用者がティシュペーパーを使用しても、香料が直接肌に触れることがない。
【００３３】
＜請求項１３記載の発明＞
側面端面片には香料が塗布されておらず、
底面側端面片および上面側端面片の少なくとも一方の片の、組み立て状態において前記側面端面片に臨む面、
およびティシュペーパー束の端面、
の少なくとも何れかの面に香料が付与されている請求項１１記載のティシュペーパー製品。
【００３４】
（作用効果）
底面側端面片および上面側端面片の少なくとも一方の片の組み立て状態において前記側面端面片に臨む面、およびティシュペーパー束の端面の何れかの面に香料が塗布されているので、ティシュペーパー束に芳香が移行しやすい。
【００３５】
＜請求項１４記載の発明＞
前記ティシュペーパー束および側面端面片には香料が塗布されておらず、
前記底面側端面片および前記上面側端面片の少なくとも一方の片の、組み立て状態において前記側面端面片に臨む面、に香料が塗布されている請求項１１記載のティシュペーパー製品。
【００３６】
（作用効果）
ティシュペーパー束には香料が塗布されておらず、ティシュカートンのフラップに香料が塗布されているので、使用者がティシュペーパーを使用しても、香料が直接肌に触れることがなくなる。また、接着剤の塗布位置と香料の塗布位置が同じになるので、製造が容易となる。
【００３７】
＜請求項１５記載の発明＞
香料が添加された接着剤により、各端面片が接着されている請求項１１〜１４の何れか１項に記載のティシュペーパー製品。
【００３８】
（作用効果）
香料を添加した接着剤を用いて各端面片が接着されているので、香料と接着剤とを同時に塗布して製造でき、しかも、塗布設備を統一できるので、製造および管理が容易となり、低コストでの製造が可能となる。
【００３９】
＜請求項１６記載の発明＞
組み立て状態でティシュペーパーの取出口を有する上面と、その反対の底面と、前記上面および底面を繋ぐ長手方向に沿う側面とを有し、
各側面の長手方向端から延在する側面端面片と、底面の長手方向端から延在する箱の高さより短い底面側端面片と、上面の長手方向端から延在する箱の高さより短い上面側端面片とを有し、
前記各側面端面片が折られ、これら側面端面片の外側に、前記底面側端面片が折られ、前記上面側端面片が折られ、前記底面側端面片の高さ方向上端部と上面側端面片の高さ方向下端部とが貼り合わされている、ティシュカートンであって、
前記側面端面片の、組み立て状態においてティシュペーパー束に臨む面、
前記側面端面片の、組み立て状態において底面側端面片および上面側端面片に臨む面、
前記底面側端面片および前記上面側端面片の少なくとも一方の片の、組み立て状態において前記側面端面片に臨む面、
の少なくとも何れかの面に香料が付与されていることを特徴とするティシュカートン。
【００４０】
（作用効果）
前記側面端面片の組み立て状態においてティシュペーパー束に臨む面、前記側面端面片の組み立て状態において底面側端面片および上面側端面片に臨む面、前記底面側端面片および前記上面側端面片の少なくとも一方の片の組み立て状態において前記側面端面片に臨む面、の少なくとも何れかの面に香料が塗布されているので、香料と接着剤とを同時に塗布して製造でき、しかも、塗布設備を統一できるので、製造および管理が容易となり、低コストでの製造が可能となる。
【００４１】
＜請求項１７記載の発明＞
前記側面端面片には香料が塗布されておらず、
前記底面側端面片および前記上面側端面片の少なくとも一方の片の、組み立て状態において前記側面端面片に臨む面、に香料が塗布されている請求項１６記載のティシュカートン。
【００４２】
（作用効果）
接着剤の塗布位置と香料の塗布位置が同じになるので、製造が容易となる。
【００４３】
＜請求項１８記載の発明＞
前記各側面端面片が対向する各先端縁が相互に離間して折られ、かつ、
前記上面側端面片および底面側端面片の少なくとも一片の、少なくともティシュペーパー束に臨む面に、
香料が付与されている請求項１６記載のティシュカートン。
【００４４】
（作用効果）
ティシュペーパー束に臨む位置に香料が塗布されているので、香りがティシュペーパーに移りやすい。
【００４５】
＜請求項１９記載の発明＞
香料が添加された接着剤により、各端面片が接着されている請求項１６〜１８のいずれか１項に記載のティシュカートン。
【００４６】
（作用効果）
請求項１４記載の発明と同様の効果を奏する。
【００４７】
【発明の実施の形態】
次いで、本発明の実施の形態を以下に詳述する。図１は、本実施の形態にかかるティシュカートンＴｃの展開状態である。このティシュカートンＴｃは、中央部分が底面１、側面２、上面３、側面４として構成され、これら底面１、側面２、上面３、側面４の長手方向両側縁に、それぞれ底面側端面片１１，１１、側面端面片１２，１２、上面側端面片１３，１３、側面端面片１４，１４が連接されている。前記上面３にはティシュペーパー取り出し用の取り出し口２０が形成されている。本実施の形態にかかるティシュペーパー製品は、図１に示される展開状態のティシュカートンＴｃにおける貼着フラップ５と側面４の幅方向側縁部とを貼着した状態で、上面３、上面側端面片１３，１３、幅方向一方の側面２およびこれから延在する側面端面片１２を上側とし、前記底面１、底面側端面片１１、幅方向他方の側面４およびこれから延在する側面端面片１４を下側として折り畳んだ状態の図２に示されるティシュカートンＴｃを用いる。
【００４８】
本発明にかかるティシュペーパー製品の製造方法は、上述の図２に示される折り畳み状態のティシュカートンＴｃを上方または下方から吸引し及び／又は側方から押して、図３に示すように、長手方向両側面を開口させて各筒状にするとともに、各端面片１１，１２，１３，１４を外方に向かってほぼ９０度折り曲げる。その後、図４に示されるように、前記側部開口部からティシュカートンＴｃ内にティシュペーパー束Ｔｐを収容する。この収容は例えば、角筒状のティシュカートンＴｃとティシュペーパー束Ｔｐとを並走させ、前記側部開口部からティシュカートンＴｃ内にティシュペーパーＴｐを押して収容する従来既知の方法により行うことができる。
【００４９】
ティシュペーパー束ＴｐがティシュカートンＴｃ内に収められたならば、図５に示すように前記側面端面片１２，１４を折り曲げる。図示例では、各側面端面片１２，１４は、折り曲げた状態において先端１４ｔ，１２ｔが離間している。次いで、図６に示すように、上面側端面片１３および底面側端面片１１の内面側の面にのみホットメルトガン等でホットメルト接着剤Ｈ，Ｈ…を塗布する。図示例では、ホットメルト接着剤Ｈ，Ｈ…は、底面側端面片１１については端面方向へ折り曲げたときに側面端面片１２，１４に接する位置に配置しており、上面側端面片１３については、端面方向に折り曲げたときに折り曲げ状態とした底面側端面片１１に接する位置に配置している。上面側端面片１３については、底面側端面片１１に接する位置と、側面端面片１２，１４に接する位置との両方に配置してもよい。なお、接着剤はホットメルト接着剤に限らず従来既知の接着剤の使用が可能である。また、ホットメルト接着剤の塗布方法は、ティシュペーパー束Ｔｐを収容した状態のティシュカートンＴｃをコンベア等で流しながらホットメルトガンで塗布する通常の方法によって行うことができる。
【００５０】
一方で、このホットメルト接着剤Ｈ，Ｈ…の塗布のときにほぼ同時に、底面側端面片１１および上面側端面片１３の組み立て状態において前記側面端面片１２，１４と接する側の面に対して香料Ｓを塗布する。香料Ｓは、従来既知の香料を問題なく使用することができる。香料Ｓの塗布は、図６に示すように、底面側端面片１１および上面側端面片１３の幅方向に沿って一直線上に塗布し、底面側端面片１１および上面側端面片１３を折り曲げたときに、香料Ｓが側面端面片１２，１４の先端離間部Ｚに少なくとも位置するようにするのが好適である。このようにすると組み立て状態において香料Ｓが各側面端面片１２，１４の先端間よりティシュカートンＴｃ内部に飛散し、実際にティシュペーパーを使用する際にほのかに香らせることができる。また、香料の塗布は、ホットメルトガンの近傍に、香料塗布用の香料塗布ガンを設置し、ホットメルト接着剤Ｈ，Ｈ…の塗布と同時に香料Ｓを底面側端面片１１や上面側端面片１３に対して噴射あるいは吹き付けによって塗布することができる。この香料塗布形態を採れば製造ラインに大規模な設計変更をすることなく香料を塗布することができる。
【００５１】
なお、香料Ｓは側面端面片１２，１４に塗布してもよい。側面端面片１２，１４に香料Ｓを塗布する場合には、前記底面側端面片１１および前記上面側端面片１３と接する面に塗布してもよいが、好適には、底面側端面片１１および上面側端面片１３と接する面と反対側の面、すなわちティシュペーパー束Ｔｐに臨むがわの面に塗布する。
【００５２】
また、香料は、ティシュペーパー束Ｔｐには塗布されないようにするのが好ましいが、例えば、各端面片１１，１２，１３，１４への香料の塗布時にティシュペーパー束Ｔｐの前記開口部に臨む面Ｍ（図４参照）に香料が塗布されてもかまわない。この場合には、ティシュペーパー束Ｔｐに直接香料が塗布されることになるが、ティシュペーパー一枚としてはそのふちにのみごく少量の香料が塗布されるだけであり、従来例のように消費者が使用する際の使用面に香料が塗布されるわけではないので、香料が直接に肌に触れることを心配する消費者の不安感は格段に解消できる。しかも、付加設備を必要とすることがない利点は十分に得られる。
【００５３】
なお、本発明においては香料を添加した接着剤を用いることもできる。このようにすると接着剤付与設備と香料付与設備を一つの設備で行うことができ、設備の簡略化という面では好適である。もちろん、この種の接着剤を用いる場合には、ティシュペーパー束と各端面片とが接着されない位置に香料添加接着剤を付与することはいうまでもない。
【００５４】
底面側端面片１１および上面側端面片１３の所定位置にホットメルト接着剤Ｈ，Ｈ…および香料Ｓ，Ｓを塗布したならば、図７に示されるように、底面側端面片１１を端面側に折り曲げ、各側面端面片１２，１４に対して貼着する。その後、図８に示されるように、前記上面側端面片１３を端面側に折り曲げて底面側端面片１１に重ね、前記底面側端面片１１の高さ方向上端部と上面側端面片１３の高さ方向下端部とを貼着し、ティシュペーパー束Ｔｐを収納したティシュカートンＴｃの側部開口面を閉塞してティシュペーパー製品Ｔとする。
【００５５】
なお、底面側端面片１１および上面側端面片１３の折り曲げは、ホットメルト接着剤Ｈ，Ｈ…が硬化する前に行う必要があるので、ホットメルト接着剤Ｈ，Ｈ…を塗布した後、直ちに底面側および上面側の各端面片１１，１３を折り曲げて接着するので、香料Ｓ，Ｓ…が直ちにティシュカートンＴｃの内面側に位置される。従って、香料Ｓ，Ｓが外部に暴露されている時間が非常に短く、飛散して香りがなくなることがなくなる。各端面片１１，１２，１３，１４の折り曲げ方法については、一般的なティシュペーパー製品の製造において行われている各端面片の折り曲げ方法に従って行うことができる。
【００５６】
他方、本発明に用いるティシュペーパー束Ｔｐは、例えば、ティシュカートンＴｃに収容したときに、取り出し口２０から一枚取り出すと次の一枚が前記取り出し口２０から露出するように折り畳まれた所謂ポップアップ式のティシュペーパー製品に使用されるものである。すなわち、インターホルダーによってインターホールド形式に折り畳まれた後に所定の大きさに切断して形成される通常のティシュペーパー束Ｔｐが好適である。なお、本発明においては、ティシュペーパー束の高さや大きさ等は特に限定されるものではなく、収容するティシュカートンＴｃの大きさに併せて適宜変更することができる。また、ティシュペーパー自体の大きさ、紙厚や組成も限定されないが、ティシュペーパー全体に香料が塗布されていないものが好適である。
【００５７】
（その他）
上記実施例は、複数の端面片を有するティシュカートンを用いた実施の形態であるが、本発明は、かかる形態に限定されるものではなく、例えば、図９に示されるがごとく、端面フラップＦが一枚で構成されるものであってもよい。
【００５８】
【発明の効果】
以上詳述のとおり、本発明によれば、既存の一般的なティシュペーパー設備に大規模な変更を加えることなく簡易に製造することが可能であり、かつ、肌に直接に触れるティシュペーパー全体に香料を塗布しなくとも、経時的な香りの減少が少ないティシュペーパー製品およびその製造方法ならびにティシュカートンを提供される。
【図面の簡単な説明】
【図１】
本実施の形態にかかるティシュカートンの展開状態の平面図である。
【図２】
本実施の形態にかかるティシュペーパー製品の製造過程を示す斜視図である。
【図３】
その後の製造過程を示す斜視図である。
【図４】
図３に示す製造過程の後の製造過程を示す斜視図である。
【図５】
図４に示す製造過程の後の製造過程を示す斜視図である。
【図６】
図５に示す製造過程の後の製造過程を示す斜視図である。
【図７】
図６に示す製造過程の後の製造過程を示す斜視図である。
【図８】
本実施の形態にかかるティシュペーパー製品の斜視図である。
【図９】
本実施の形態にかかるティシュペーパー製品の他の例を示す斜視図である。
【符号の説明】
１…底面、２…側面、３…上面、４…側面、５…貼着フラップ、１１…底面側端面片、１２，１４…側面端面片、１３…上面側端面片、２０…取り出し口、Ｔｃ…ティシュカートン、Ｔｐ…ティシュペーパー束、Ｔ…ティシュペーパー製品。